(57)【要約】【課題】穀粒の判別結果を明確に把握することができる穀粒判別器を得る。【解決手段】穀粒判別器では、表示装置２０の画面２２に穀粒の各判別項目についての判別結果が表示される。ここで、表示装置２０が画面２２に穀粒の判別結果を各判別項目についての棒グラフ２４で表示するため、穀粒の判別結果が解り易くなる。これにより、穀粒の判別結果を明確に把握することができる。さらに、表示装置２０が画面２２に、一等に属する判別項目の棒グラフ２４を点滅させずに通常表示し、一等に属しない判別項目の棒グラフ２４を点滅表示して、両者間で表示態様を異ならせて表示するため、各判別項目が一等に属するか否かが解り易くなる。これにより、各判別項目が一等に属するか否かを明確に把握することができ、穀粒の属する等級が二等に格下げされた原因（死粒の含有割合が二等に属すること）を明確に把握することができる。【選択図】　　図１
2004130178.tif 000002
【特許請求の範囲】
【請求項１】
穀粒を所定数の判別項目において判別する判別手段と、
前記判別手段による穀粒の判別結果を前記判別項目についての棒グラフで表示する表示手段と、
を備えた穀粒判別器。
【請求項２】
前記表示手段は、所定の等級に属する前記判別項目と所定の等級に属しない前記判別項目とで表示態様を異ならせて表示する、ことを特徴とする請求項１記載の穀粒判別器。
【請求項３】
前記表示手段は、前記判別項目における各等級の範囲を表示する、ことを特徴とする請求項１または請求項２記載の穀粒判別器。
【請求項４】
前記表示手段は、前記各判別項目の等級境界位置を前記各棒グラフの配列方向において一致させて表示する、ことを特徴とする請求項１乃至請求項３の何れか１項記載の穀粒判別器。
【発明の詳細な説明】
【０００１】
【発明の属する技術分野】
本発明は、穀粒を判別して判別結果を表示する穀粒判別器に関する。
【０００２】
【従来の技術】
穀粒判別器としては、穀粒（米粒）を、整粒（整米）の含有割合（奇形粒（奇形米）の非含有割合）、被害粒（被害米）の含有割合、死粒（死米）の含有割合及び着色粒（着色米）の含有割合等の各判別項目において判別（測定）して、穀粒の各判別項目についての判別結果（測定結果）を表示するものがある（例えば、特許文献１参照）。
【０００３】
また、穀粒は判別項目毎に等級が判断（判別）され、各判別項目の等級のうちで最も低い等級が、その穀粒の属する等級とされる。このため、仮に１つの判別項目が二等に属せば、他の全ての判別項目が一等に属しても、穀粒の属する等級は二等に格下げされる。
【０００４】
しかしながら、このような穀粒判別器では、穀粒の各判別項目についての判別結果が判別値（測定値）にて表示されるのみであるため、特に一般農家の人にとって、表示内容が解りにくくなっている。
【０００５】
これにより、穀粒の各判別項目についての判別結果を把握困難であるという問題がある。
【０００６】
さらに、仮に穀粒の属する等級が二等以下に格下げされた場合、等級の格下げの原因を把握困難であるという問題もある。
【０００７】
【特許文献１】
特許第２５５９６０６号公報
【０００８】
【発明が解決しようとする課題】
本発明は上記事実を考慮し、穀粒の判別結果を明確に把握できる穀粒判別器を得ることが目的である。
【０００９】
【課題を解決するための手段】
請求項１に記載の穀粒判別器は、穀粒を所定数の判別項目において判別する判別手段と、前記判別手段による穀粒の判別結果を前記判別項目についての棒グラフで表示する表示手段と、を備えている。
【００１０】
請求項１に記載の穀粒判別器では、判別手段が穀粒を所定数の判別項目において判別し、表示手段が判別手段による穀粒の判別結果を表示する。
【００１１】
ここで、表示手段が穀粒の判別結果を判別項目についての棒グラフで表示するため、穀粒の判別結果が解り易くなる。これにより、穀粒の判別結果を明確に把握することができる。
【００１２】
請求項２に記載の穀粒判別器は、請求項１に記載の穀粒判別器において、前記表示手段は、所定の等級に属する前記判別項目と穀粒の所定の等級に属しない前記判別項目とで表示態様を異ならせて表示する、ことを特徴としている。
【００１３】
請求項２に記載の穀粒判別器では、表示手段が所定の等級に属する判別項目と所定の等級に属しない判別項目とで表示態様を異ならせて表示するため、各判別項目が所定の等級に属するか否かが解り易くなる。これにより、各判別項目が所定の等級に属するか否かを明確に把握することができる。
【００１４】
請求項３に記載の穀粒判別器は、請求項１または請求項２に記載の穀粒判別器において、前記表示手段は、前記判別項目における各等級の範囲を表示する、ことを特徴としている。
【００１５】
請求項３に記載の穀粒判別器では、表示手段が判別項目における各等級の範囲を表示するため、判別項目が属する等級が解り易くなる。これにより、判別項目が属する等級を明確に把握することができる。
【００１６】
請求項４に記載の穀粒判別器は、請求項１乃至請求項３の何れか１項に記載の穀粒判別器において、前記表示手段は、前記各判別項目の等級境界位置を前記各棒グラフの配列方向において一致させて表示する、ことを特徴としている。
【００１７】
請求項４に記載の穀粒判別器では、表示手段が各判別項目の等級境界位置を各棒グラフの配列方向において一致させて表示するため、各判別項目が属する等級を他の判別項目が属する等級と比較し易くなる。これにより、各判別項目が属する等級を他の判別項目が属する等級との比較において明確に把握することができる。
【００１８】
【発明の実施の形態】
図２には、本発明の実施の形態に係る穀粒判別器１０の概略図が示されている。
【００１９】
本実施の形態に係る穀粒判別器１０は、判別手段を構成する供給装置１２を備えており、供給装置１２は、穀粒１４を１粒ずつ所定位置Ｐに供給する。穀粒判別器１０は、判別手段を構成する光照射装置（図示省略）を備えており、光照射装置は所定位置Ｐに供給された穀粒１４に光を照射する。
【００２０】
穀粒判別器１０は、判別手段を構成する撮影装置１６（カメラ）を備えており、撮影装置１６は、所定位置Ｐに供給された穀粒１４に光が照射された際に穀粒１４で反射される反射光及び穀粒１４を透過する透過光を受光して穀粒１４を撮影し、かつ、この穀粒１４の画像信号（画像データ）を送信する。
【００２１】
撮影装置１６には、判別手段を構成する判別装置１８が接続されており、判別装置１８は、撮影装置１６からの穀粒１４の画像信号を受信する。これにより、判別装置１８は、穀粒１４（米粒（特に玄米））を、整粒（整米）の含有割合（奇形粒（奇形米）の非含有割合）、被害粒（被害米）の含有割合、死粒（死米）の含有割合、着色粒（着色米）の含有割合、未熟粒（未熟米）の含有割合、及び、胴割れ粒（胴割れ米）等の内部異常粒（内部異常米）の含有割合等の各判別項目において、判別（測定）する。
【００２２】
判別装置１８には、表示手段としての表示装置２０が接続されている。表示装置２０は画面２２（図１参照）を有しており、画面２２には、判別装置１８による穀粒１４（所定量の穀粒１４）の各判別項目についての判別結果（測定結果）が表示される。
【００２３】
図１に示す如く、画面２２には、穀粒１４の各判別項目名が縦方向へ配列されて表示されている。本実施の形態では、整粒の含有割合が「整粒」と表示され、被害粒の含有割合が「被害粒」と表示され、死粒の含有割合が「死粒」と表示され、着色粒の含有割合が「着色粒」と表示され、さらに、他の判別項目も同様に含有割合の対象名にて表示されている。
【００２４】
穀粒１４の各判別項目名の側方（本実施の形態では右側）には、各判別項目についての判別結果が、それぞれ横方向（本実施の形態では右方）へ延伸する棒グラフ２４（横棒グラフ）にて表示されている。これにより、所定数の棒グラフ２４が縦方向に配列されている。また、各棒グラフ２４は、対応する判別項目についての判別値（測定値）が良いほど長く延伸されている。
【００２５】
各棒グラフ２４の先端近傍（本実施の形態では右端近傍）には、対応する判別項目についての判別値が表示されている。本実施の形態では、整粒の含有割合の判別値である「７５％」が表示され、被害粒の含有割合の判別値である「１２％」が表示され、死粒の含有割合の判別値である「９％」が表示され、着色粒の含有割合の判別値である「０％」が表示され、さらに、他の判別項目も同様に含有割合の判別値が表示されている。
【００２６】
各棒グラフ２４の外側には、略長方形枠状のグラフ枠２６が表示されており、各棒グラフ２４は各グラフ枠２６内に配置されている。各グラフ枠２６は、各棒グラフ２４の基端から対応する判別項目についての最良判別値（最良測定値）の位置まで横方向（本実施の形態では右方）へ延伸されている。本実施の形態では、整粒の含有割合のグラフ枠２６が最良判別値である「１００％」の位置まで延伸され、被害粒の含有割合のグラフ枠２６が最良判別値である「０％」の位置まで延伸され、死粒の含有割合のグラフ枠２６が最良判別値である「０％」の位置まで延伸され、着色粒の含有割合のグラフ枠２６が最良判別値である「０％」の位置まで延伸され、さらに、他の判別項目のグラフ枠２６も同様に含有割合の最良判別値の位置まで延伸されている。
【００２７】
ここで、穀粒１４は判別項目毎に等級（検査規格を満たすか否か）を判断（判別）され、各判別項目の等級のうちで最も低い等級が、その穀粒１４の属する等級とされる。
【００２８】
所定数のグラフ枠２６の配列方向（縦方向）における近傍（本実施の形態では最上位のグラフ枠２６の上側近傍）には、各等級名（本実施の形態では「一等」、「二等」及び「三等」の文字）がグラフ枠２６の先端側から基端側（本実施の形態では右側から左側）へ向けて上級側の等級から下級側の等級の順に表示されると共に、各等級の等級区分線２８（各等級の上限線及び下限線）が等間隔で表示されている。これにより、各等級の範囲が表示されている。
【００２９】
各グラフ枠２６には、対応する判別項目の各等級境界位置において、各等級の等級境界線３０（各等級の上限線及び下限線）が表示されており、各等級境界線３０は、対応する等級区分線２８に縦方向において一致されている。このため、全ての判別項目の等級境界位置は縦方向において一致されており、これに対応して、各棒グラフ２４の長さが調整されている。これにより、各棒グラフ２４の長さの変化量と各判別項目の判別値の変化量との関係が、各棒グラフ２４毎に、更には、各棒グラフ２４の延伸方向における部位毎に、異なっている。なお、各最上級の等級（一等）における上側の等級境界線３０（上限線）は、各グラフ枠２６の先端と一致されている。
【００３０】
各グラフ枠２６の外側には、各等級境界線３０の近傍（本実施の形態では上側近傍）において、等級境界値（各等級の上限値及び下限値であり、単位は％である）が表示されている。本実施の形態では、一等の上側の等級境界値（上限値）、一等と二等との等級境界値、二等と三等との等級境界値及び三等の下側の等級境界値（下限値）が順に、整粒の含有割合については「１００」、「７０」、「６０」及び「４５」の文字で表示され、被害粒の含有割合については「０」、「１５」、「２０」及び「３０」の文字で表示され、死粒の含有割合については「０」、「７」、「１０」及び「２０」の文字で表示され、着色粒の含有割合については「０」、「０．１」、「０．３」及び「０．７」の文字で表示され、さらに、他の判別項目についても同様に表示されている。
【００３１】
本実施の形態では、整粒の含有割合は７５％であるため一等に属し、被害粒の含有割合は１２％であるため一等に属し、着色粒の含有割合は０％であるため一等に属し、死粒の含有割合は９％であるため二等に属し、他の全ての判別項目は一等に属している。このため、死粒の含有割合が原因で穀粒１４の属する等級が二等に格下げされている。
【００３２】
一等（所定の等級）に属しない判別項目（本実施の形態では死粒の含有割合）についての棒グラフ２４は、点滅表示されることで、点滅されずに通常表示される一等に属する判別項目についての棒グラフ２４と、表示態様が異なって表示された構成である。
【００３３】
次に、本実施の形態の作用を説明する。
【００３４】
以上の構成の穀粒判別器１０では、供給装置１２が穀粒１４を所定位置Ｐに供給して光照射装置が穀粒１４に光を照射した際に、撮影装置１６が穀粒１４を撮影し、判別装置１８が穀粒１４の画像に基づいて穀粒１４を各判別項目において判別する。さらに、表示装置２０の画面２２に穀粒１４の各判別項目についての判別結果が表示される。
【００３５】
ここで、表示装置２０が画面２２に穀粒１４の判別結果を各判別項目についての棒グラフ２４で表示するため、穀粒１４の判別結果が解り易くなる。これにより、穀粒１４の判別結果を明確に把握することができる。
【００３６】
しかも、表示装置２０が画面２２に、各棒グラフ２４の近傍において、対応する判別項目についての判別値を表示するため、穀粒１４の判別結果を一層明確に把握することができる。
【００３７】
また、表示装置２０が画面２２に、一等に属する判別項目の棒グラフ２４を点滅させずに通常表示し、一等に属しない判別項目（死粒の含有割合）の棒グラフ２４を点滅表示して、両者間で表示態様を異ならせて表示するため、各判別項目が一等に属するか否かが解り易くなる。これにより、各判別項目が一等に属するか否かを明確に把握することができ、穀粒１４の属する等級が格下げされた原因（死粒の含有割合が二等に属すること）を明確に把握することができる。
【００３８】
さらに、表示装置２０が画面２２に各等級名及び各等級の等級区分線２８を表示することで、各等級の範囲が表示されるため、各判別項目が属する等級が解り易くなる。これにより、各判別項目が属する等級を明確に把握することができる。
【００３９】
しかも、表示装置２０が画面２２に、各グラフ枠２６において、各等級の等級境界線３０を表示するため、各判別項目が属する等級が一層解り易くなる。これにより、各判別項目が属する等級を一層明確に把握することができる。
【００４０】
また、表示装置２０が画面２２に、各判別項目の等級境界位置を各棒グラフ２４の配列方向において一致させて表示するため、各判別項目が属する等級を他の判別項目が属する等級と比較し易くなる。これにより、各判別項目が属する等級を他の判別項目が属する等級との比較において明確に把握することができる。
【００４１】
なお、本実施の形態では、棒グラフ２４を横方向へ延伸する横棒グラフとした構成としたが、棒グラフ２４を縦方向へ延伸する縦棒グラフとした構成としてもよい。この場合、穀粒の判別項目名を横方向へ配列させた構成やグラフ枠を縦方向へ延伸させた構成とする等、各表示項目が適宜変更して表示される。
【００４２】
さらに、本実施の形態では、一等（所定の等級）に属する判別項目と一等に属しない判別項目とで棒グラフ２４の表示態様を異ならせた構成としたが、これに代えて、または、これと併せて、所定の等級に属する判別項目と所定の等級に属しない判別項目とで、判別項目名、判別値、グラフ枠、等級境界線、等級境界値及び背景の少なくとも１つの表示態様を異ならせた構成としてもよい。
【００４３】
また、本実施の形態では、一等に属しない判別項目の棒グラフ２４を点滅表示させることで通常表示される一等に属する判別項目の棒グラフ２４と表示態様を異ならせた構成としたが、所定の等級に属する判別項目と所定の等級に属しない判別項目とで色彩を代えて表示することで表示態様を異ならせた構成としてもよい。
【００４４】
さらに、本実施の形態では、一等に属する判別項目と二等に属する判別項目とで表示態様を異ならせた構成としたが、属する等級が異なる判別項目毎に表示態様を異ならせた構成、最下級の等級に属する判別項目と他の判別項目とで表示態様を異ならせた構成、または、最上級の等級に属する判別項目と他の判別項目とで表示態様を異ならせた構成であればよい。
【００４５】
また、本実施の形態では、表示装置２０の画面２２に穀粒１４の判別項目についての判別結果を表示する構成としたが、表示装置（表示手段）が穀粒の判別項目についての判別結果を印刷出力することで表示する構成としてもよい。
【００４６】
【発明の効果】
請求項１に記載の穀粒判別器では、表示手段が穀粒の判別結果を判別項目についての棒グラフで表示するため、穀粒の判別結果を明確に把握することができる。
【００４７】
請求項２に記載の穀粒判別器では、表示手段が所定の等級に属する判別項目と所定の等級に属しない判別項目とで表示態様を異ならせて表示するため、各判別項目が所定の等級に属するか否かを明確に把握することができる。
【００４８】
請求項３に記載の穀粒判別器では、表示手段が判別項目における各等級の範囲を表示するため、判別項目が属する等級を明確に把握することができる。
【００４９】
請求項４に記載の穀粒判別器では、表示手段が各判別項目の等級境界位置を各棒グラフの配列方向において一致させて表示するため、各判別項目が属する等級を他の判別項目が属する等級との比較において明確に把握することができる。
【図面の簡単な説明】
【図１】本発明の実施の形態に係る穀粒判別器おける表示装置の画面の表示状況を示す正面図である。
【図２】本発明の実施の形態に係る穀粒判別器を示す概略図である。
【符号の説明】
１０　　穀粒判別器
１２　　供給装置（判別手段）
１４　　穀粒
１６　　撮影装置（判別手段）
１８　　判別装置（判別手段）
２０　　表示装置（表示手段）
【図１】
2004130178.tif 000003
【図２】
2004130178.tif 000004